(57)【要約】      （修正有）【課題】粉わさび等の粉体と水等の液体とを効率的に混合することのできる包装体を提供する。【解決手段】本発明は液体を収納する第１室（１）、粉体及び気体を収容する第２室（２）、並びに第１室と第２室との間に境界シール部（３）を有し、前記境界シール部を剥離させることにより液体及び粉体を混合することができる包装体であって、第１室の容積及び第２室の容積の合計容積に対する、前記気体の容積が１８〜５０容量％である。【選択図】図１
2018103996.tif 000002
【特許請求の範囲】
【請求項１】
液体を含む第１室、粉体及び気体を含む第２室、並びに第１室と第２室との間に境界シール部を有し、前記境界シール部を剥離させることにより液体及び粉体を混合することができる包装体であって、第１室の容積及び第２室の容積の合計容積に対する、前記気体の容積が１８〜５０容量％である、包装体。
【請求項２】
前記合計容積、及び境界シール部が剥離した状態の包装体の内面積が、式（１）：
合計容積／境界シール部が剥離した状態の包装体の全内面積＝１．３〜４．０
を満たす、請求項１に記載の包装体。
【請求項３】
前記包装体が、三方シールであり、且つ前記第１室が三方シールである、請求項１又は２に記載の包装体。
【請求項４】
前記第１室及び第２室の間の境界シール部が２つ以上の境界シール部からなる、請求項１〜３のいずれか一項に記載の包装体。
【請求項５】
前記境界シール部の第１室に接する側が、第２室側方向に液体の圧が集中する部分を有する形態である、請求項１〜４のいずれか一項に記載の包装体。
【請求項６】
前記合計容積が、３０００〜３００００ｍｍ３である、請求項１〜５のいずれか一項に記載の包装体。
【請求項７】
（１）周辺シール部の側方部及び境界シール部をシールする工程、
（２）周辺シール部の下端部をシールする工程、
（３）第１室が一定の厚みとなるように第１室を両側から２つの挟持体で挟みながら、第１室に液体を充填する第１室充填工程、
（４）第２室に粉体を充填し、その後に気体を充填する第２室充填工程、及び
（５）周辺シール部の上端部をシールする工程、
を含む、
液体を含む第１室並びに粉体及び気体を含む第２室を有する包装体の製造方法。
【請求項８】
粉体を充填する配管が配管の下方に粉体を放出する構造であり、そして気体を充填する配管が配管の側方に気体を放出する構造である、請求項７に記載の包装体の製造方法。
【請求項９】
（１）周辺シール部の側方部及び境界シール部をシールする工程、
（２）周辺シール部の下端部をシールする工程、
（３）第１室に液体を充填する工程、
（４）第２室に粉体及び気体を充填する第２室充填工程、
（５）周辺シール部の上端部をシールする工程、
を含む
液体を含む第１室並びに粉体及び気体を含む第２室を有する包装体の製造方法であって、第１室の容積及び第２室の容積の合計の容積に対する、前記気体の容積が１８〜５０容量％である包装体の製造方法。
【請求項１０】
前記合計容積、及び境界シール部が剥離した状態の包装体の内面積が、式（１）：
合計容積／境界シール部が剥離した状態の包装体の全内面積＝１．３〜４．０
である、請求項９に記載の包装体の製造方法。
【請求項１１】
前記包装体が、三方シールであり、且つ前記第１室が三方シールである、請求項７〜１０のいずれか一項に記載の包装体の製造方法。
【請求項１２】
前記第１室及び第２室の間の境界シール部が２つ以上の境界シール部からなる、請求項７〜１１のいずれか一項に記載の包装体の製造方法。
【請求項１３】
前記境界シール部の第１室に接する側が、第２室側方向に液体の圧が集中する部分を有する形態である、請求項７〜１２のいずれか一項に記載の包装体の製造方法。
【請求項１４】
前記合計容積が、３０００〜３００００ｍｍ３である、請求項７〜１３のいずれか一項に記載の包装体の製造方法。
【発明の詳細な説明】
【技術分野】
【０００１】
本発明は、包装体及びその製造方法に関する。本発明によれば、包装体に含まれる粉体及び液体を効率的に混合することができる。
【背景技術】
【０００２】
粉わさびは、使用の際に計量した水と混合することによって、わさび本来の風味を得ることができる。しかしながら、粉わさびを水と練り合わせる場合、スプーンなどの調理器具を準備する煩雑さがあり、また混合中に辛味成分が揮発するため、大量に混合する場合は目を傷める危険性が指摘されていた。更に、わさびの主要な辛味成分であるアリルイソチオシアネートが経時的に揮発及び分解するため、喫食時に辛味が持続せず、またわさび本来の風味も揮発するため、わさびの香りが弱くなるなどの問題があった。
前記課題を解決するために、第１室に粉わさびを封入し、そして第２室に水性液を封入する包装体が、特許文献１に開示されている。
【先行技術文献】
【特許文献】
【０００３】
【特許文献１】特開２０１６−４１０３６号公報
【発明の概要】
【発明が解決しようとする課題】
【０００４】
本発明の目的は、粉わさび等の粉体と水等の液体とを効率に混合することのできる包装体を提供することである。
【課題を解決するための手段】
【０００５】
本発明者は、粉わさび等の粉体と水等の液体とを効率に混合することのできる包装体について、鋭意研究した結果、驚くべきことに、粉体を含む領域（室）に特定量の気体を含有させることにより、効率的に粉体と液体とを混合できることを見出した。また、本発明者は、液体を含む第１室を挟持体で挟みながら液体を充填すること、及び第２室への粉体と気体との充填のタイミングをずらすことによって、効率的に本発明の包装体を製造できることを見出した。
本発明は、こうした知見に基づくものである。
従って、本発明は、
［１］液体を含む第１室、粉体及び気体を含む第２室、並びに第１室と第２室との間に境界シール部を有し、前記境界シール部を剥離させることにより液体及び粉体を混合することができる包装体であって、第１室の容積及び第２室の容積の合計容積に対する、前記気体の容積が１８〜５０容量％である、包装体、
［２］前記合計容積、及び境界シール部が剥離した状態の包装体の内面積が、式（１）：合計容積／境界シール部が剥離した状態の包装体の全内面積＝１．３〜４．０を満たす、［１］に記載の包装体、
［３］前記包装体が、三方シールであり、且つ前記第１室が三方シールである、［１］又は［２］に記載の包装体、
［４］前記第１室及び第２室の間の境界シール部が２つ以上の境界シール部からなる、［１］〜［３］のいずれかに記載の包装体、
［５］前記境界シール部の第１室に接する側が、第２室側方向に液体の圧が集中する部分を有する形態である、［１］〜［４］のいずれかに記載の包装体、
［６］前記合計容積が、３０００〜３００００ｍｍ３である、［１］〜［５］のいずれかに記載の包装体、
［７］（１）周辺シール部の側方部及び境界シール部をシールする工程、（２）周辺シール部の下端部をシールする工程、（３）第１室が一定の厚みとなるように第１室を両側から２つの挟持体で挟みながら、第１室に液体を充填する第１室充填工程、（４）第２室に粉体を充填し、その後に気体を充填する第２室充填工程、及び（５）周辺シール部の上端部をシールする工程、を含む、液体を含む第１室並びに粉体及び気体を含む第２室を有する包装体の製造方法、
［８］粉体を充填する配管が配管の下方に粉体を放出する構造であり、そして気体を充填する配管が配管の側方に気体を放出する構造である、［７］に記載の包装体の製造方法、
［９］（１）周辺シール部の側方部及び境界シール部をシールする工程、（２）周辺シール部の下端部をシールする工程、（３）第１室に液体を充填する工程、（４）第２室に粉体及び気体を充填する第２室充填工程、（５）周辺シール部の上端部をシールする工程、を含む液体を含む第１室並びに粉体及び気体を含む第２室を有する包装体の製造方法であって、第１室の容積及び第２室の容積の合計の容積に対する、前記気体の容積が１８〜５０容量％である包装体の製造方法、
［１０］前記合計容積、及び境界シール部が剥離した状態の包装体の内面積が、式（１）：合計容積／境界シール部が剥離した状態の包装体の全内面積＝１．３〜４．０
である、［９］に記載の包装体の製造方法、
［１１］前記包装体が、三方シールであり、且つ前記第１室が三方シールである、［７］〜［１０］のいずれかに記載の包装体の製造方法、
［１２］前記第１室及び第２室の間の境界シール部が２つ以上の境界シール部からなる、［７］〜［１１］のいずれかに記載の包装体の製造方法、
［１３］前記境界シール部の第１室に接する側が、第２室側方向に液体の圧が集中する部分を有する形態である、［７］〜［１２］のいずれかに記載の包装体の製造方法、及び
［１４］前記合計容積が、３０００〜３００００ｍｍ３である、［７］〜［１３］のいずれかに記載の包装体の製造方法、
に関する。
【発明の効果】
【０００６】
本発明の包装体によれば、粉わさび等の粉体と水等の液体とを効率に混合することができる。また、粉体と液体との混合時には、容易に第１室と第２室の間の境界シールを剥離させ、そして粉体と液体とを混合することができる。一方で、本発明の包装体は輸送中に破れにくい。すなわち、輸送時に第１室と第２室との間の境界シールの破損が起こりにくい。
【図面の簡単な説明】
【０００７】
【図１】本発明の包装体の１つの実施態様を示した図である。
【図２】境界シール部が２つのシール部からなる本発明の包装体の１つの実施態様を示した図である。
【図３】境界シール部が２つのシール部からなる本発明の包装体の１つの実施態様を示した図である。
【図４】境界シール部が２つのシール部からなる本発明の包装体の１つの実施態様を示した図である。
【発明を実施するための形態】
【０００８】
［１］包装体
本発明の包装体は、液体を含む第１室、粉体及び気体を含む第２室、並びに第１室と第２室との間に境界シール部を有し、前記境界シール部を剥離させることにより液体及び粉体を混合することができる。
【０００９】
包装体の全体の形状は、境界シール部で分割された第１室及び２室を有する限りにおいて限定されるものではないが、例えば方形、楕円形、ガセット袋形又はテトラ形などを挙げることができる。包装体のシーリングの形態としては、封筒貼りタイプ、三方シールタイプ、四方シールタイプ、又は封筒貼りタイプを変形させたテトラシールタイプなどを挙げることができる。
【００１０】
本発明の包装体の方形の１つの実施態様である三方シールタイプについて、図１に従って説明する。本発明の包装体は、液体（５）を含む第１室（１）並びに粉体（６）及び気体（７）を含む第２室を有し、第１室及び第２室が境界シール部（３）によって分割される。そして、包装体の周辺の３辺が周辺シール部（４）によって封止され、外界から分離されている。図１の実施態様においては、第１室は周辺シール部及び境界シール部によって三方がシールされ、第２室は周辺シール部及び境界シール部によって四方がシールされている。一方、第１室が四方シールであり、そして第２室が三方シールでもよい。しかし、図１の実施態様のように、液体を含む第１室が三方シールであり、粉体及び気体を含む第２室が四方シールであることが好ましい。液体を含む第１室が三方シールであることにより、液体に圧をかけて境界シール部を剥離させる場合に、境界シール部に効率良く圧を印加し、境界シール部を剥離することができる。
【００１１】
本発明の包装体は、例えば封筒貼りタイプ、四方シールタイプ、又はテトラシールタイプでもよい。例えば、四方シールタイプの場合、三方シールタイプではシールされておらず、折り返されている第１室の辺が周辺シール部となる。この周辺シール部と、境界シール部との剥離強度を調整することにより、第１室の液体に圧をかけて境界シール部を剥離させる場合に、境界シール部に効率良く圧を印加し、境界シール部を剥離することができる。
【００１２】
本明細書において、第１室は液体を含む包装材料に囲まれた領域を意味する。第１室は本発明の効果が得られる限りにおいて、液体以外の成分を含んでもよい。例えば、第１室は気体を含んでもよい。しかし、第１室に気体が含まれる場合は、境界シール部を剥離させるために第１室に圧を印加すると、気体が圧縮され、従って境界シール部を剥離するための力が弱まることがある。従って、第１室は、実質的に気体を含まない方が好ましい。
【００１３】
前記第１室に含まれる液体は、粉体と混合するための液体である限りにおいて、特に限定されるものではなく、水又は水性液を挙げることができる。水性液は、アルコールなどの有機溶媒を含んでもよい。
粉体として粉わさびを用いる場合は、液体として、水、pH調整水、油脂が乳化もしくは分散した水溶液、又は調味液を挙げることができる。液体は、長期保存のために好ましくは殺菌処理又は静菌処理を行う。殺菌処理又は静菌処理は、常温保存において一般細菌、カビ、酵母、乳酸菌、又は大腸菌群などの微生物の増殖を防ぐことができる限りにおいて限定されないが、例えば有機酸等による酸性化処理、加熱処理、加圧加熱処理、又はフィルター処理を挙げることができる。
【００１４】
本明細書において第２室は、粉体及び気体を含む包装材料に囲まれた領域を意味する。第２室は本発明の効果が得られる限りにおいて、粉体及び気体以外の成分を含んでもよい。例えば、前記粉体が液体と混合して用いる調味料などの場合、第２室に、液体に溶解又は分散しない粒状又は顆粒状の成分を含んでもよい。また、第２室に液体を含んでもよい。しかし、前記粉体が、使用直前に液体と混合することによって作用を発現する粉体の場合、第２室に液体を含まない方が好ましい。本発明に用いる粉体は、使用直前に液体と混合することによって作用を発現するものが多いため、好ましくは、第２室は液体を含まない。
【００１５】
粉体は、特に限定されるものではないが、使用直前に液体と混合することによって作用を発現するものが好ましい。液体に溶解するものでもよいが、液体と混合されペースト状の粘稠体となるものがなお好ましい。具体的な粉体として、粉わさび、粉からし、又は粉末状やまいもを挙げることができる。
【００１６】
前記粉わさびは、特に限定されるものではない。粉わさびの原料としては、例えば本わさび、又は西洋わさびを用いることができ、具体的にはこれらの乾燥粉末を粉わさびとして用いることができる。粉わさびの乾燥方法は、限定されるものではなく、熱風乾燥、真空乾燥、又は真空凍結乾燥を用いることができるが、真空乾燥又は真空凍結乾燥が好ましい。真空乾燥又は真空凍結乾燥の、真空度、棚温度又は加温時間は、粉わさびとなる本わさび、及び／又は西洋わさびの大きさや量などにより、適切な条件に設定されるものであるが、減圧度は１Ｔｏｒｒ以下が好ましく、０．５Ｔｏｒｒ以下が更に好ましく、真空中の最高棚温度は、３０〜８０℃が好ましく、４５〜７０℃が更に好ましい。更に、本わさび乾燥粉末、及び／又は西洋わさび乾燥粉末に、わさびの風味に影響を与えない範囲で、酸化防止剤、安定化剤、着色料、ビタミンＣ又は香料などを適宜添加することができる。また、本発明のわさびを利用した製品の場合には、その製品に合わせた香料を適宜用いることができる。
【００１７】
気体は、粉体の効果を損なわない限りにおいて、特に限定されるものでないが、粉体と化学的に反応しない不活性ガスが好ましい。不活性ガスとしては、空気、窒素ガス、炭酸ガス、又はアルゴンガスを挙げることができる。
【００１８】
本発明の包装体においては、第１室の容積及び第２室の容積の合計容積に対する、前記気体の容積が１８〜５０容量％であり、好ましくは２５〜４７容量％である。合計容積に対する気体の容積の比率が前記範囲であることによって、粉体と液体とを効率に混合することができる。合計容積に対する気体の容積の比率が低すぎると、粉体が液体と混合されない粉体が残留したりすることがあり、逆に合計容積に対する気体の容積の比率が高すぎると、気体が混合を阻害し、粉体と液体との混合が困難になることがある。
【００１９】
第１室の容積及び第２室の容積の合計容積は、限定されるものではないが、好ましくは３０００〜３００００ｍｍ３であり、より好ましくは４０００〜１００００ｍｍ３である。前記範囲であることにより、粉体と液体とを効率的に混合することができる。
第１室の容積は、限定されるものではないが、好ましくは１３００〜７０００ｍｍ３であり、より好ましくは１６００〜２１０００ｍｍ３である。第１室の容積が大きすぎると輸送中などに過度な圧が第１室の液体にかかると、境界シール部が剥離し、喫食前に粉体と液体とが混ざってしまうことがある。特に、規定量の液体以外に、第１室に気体が混入すると第１室の容量が大きくなることがある。従って、第１室は、実質的に気体を含まない方が好ましい。
第２室の容積は、限定されるものではないが、好ましくは１７００〜２５０００ｍｍ３であり、より好ましくは２４００〜８０００ｍｍ３である。
なお、本明細書において、第１室の容積、第２室の容積、及び全体の容積は、大気圧下の容積とする。第１室の容積は、中に充填される液体の容積とし、第２室の容積は、中に充填される粉体および気体の容積の合計値とする。粉体の容積は、あらかじめ定容容器に粉体を充填した際の重量値によりかさ比重を算出し、第２室に充填する粉体重量／粉体のかさ比重により容積を算出する。気体の容積は、水を満注にしたメスシリンダー内に第２室の気体を移し、メスシリンダーの目盛りから読み取る。
ここで言う第１室の容積及び第２室の容積の合計容積とは、上記方法により求められる第１室の容積値と第２室の容積値の合計値である。
【００２０】
前記粉体及び気体の容積の比率は、本発明の効果が得られる限りにおいて、特に限定されるものではないが、好ましくは粉体１容量部に対して、気体０．４０〜１．６０容量部であり、より好ましくは０．４５〜１．５０容量部である。
前記粉体及び液体の比率は、粉体及び液体から得られる混合物に応じて、適宜決定することができるが、好ましくは粉体１容量部に対して液体０．３０〜１．００容量部であり、より好ましくは０．４０〜０．７５容量部である。粉体が多いと硬い混合物が得られ、液体が多いと柔らかい混合物が得られるが、混合物の用途に応じて粉体と液体との比率を決定すればよい。例えば、粉体が粉わさびである場合、粉わさび１容量部に対して水０．３０〜１．００容量部であることにより、粉わさびと水とを混合することによって、最適なわさびを得ることができる。
【００２１】
本発明の包装体は、好ましくは、第１室の容積及び第２室の容積の合計容積と、境界シール部が剥離した状態の包装体の全内面積とが、下記式（１）を満たす。
合計容積／境界シール部が剥離した状態の包装体の全内面積＝１．３〜４．０  （１）
前記式の範囲は、好ましくは１．５〜３．０である。前記合計容積と前記全内面積とが式  （１）を満足することによって、粉体と液体とを効率よく混合することができる。合計容積と全内面積が前記式（１）の範囲外であると、粉体と液体との混合が困難になり、目的の混合物を取得できないことがある。
【００２２】
前記境界シール部が剥離した状態の包装体の全内面積は、特に限定されるものではないが、好ましくは２２００〜２３０００ｍｍ２であり、より好ましくは２８００〜８０００ｍｍ２である。前記範囲であることにより、粉体と液体とを効率的に混合することができる。
また、第１室の内面積も限定されるものではないが、好ましくは７００〜８０００ｍｍ２であり、より好ましくは８５０〜２７００ｍｍ２である。第２室の内面積も限定されるものではないが、好ましくは１５００〜１５０００ｍｍ２であり、より好ましくは１７００〜５３００ｍｍ２である。
なお、前記の通り、第１室の容積が大きすぎると、過度な圧が第１室の液体にかかった場合、境界シール部が剥離し、包装体が破袋することがある。特に、第１室の内面積に対して第１室の容積が大きくなりすぎると、輸送時などに過度な圧がかかることによって、境界シール部が剥離しやすくなる。
【００２３】
本発明の包装体の境界シール部は、包装体の外部から印加される圧によって剥離する。境界シール部が剥離することによって、第１室の液体と第２室の粉体との混合が可能になる。
前記境界シール部は、図１に示すように、１つの境界シール部でもよく、図２に示すように２つ以上の境界シール部に分かれていてもよい。更に、前記１つの境界シール部又は２つ以上の境界シール部において、前記境界シール部の第１室に接する側が、第２室側方向に液体の圧が集中する部分を有する形態であることが好ましい。
「第２室側方向に液体の圧が集中する部分」とは、特に限定されるものではないが、例えば波型の形状、又はＶ字型の形状を挙げることができる。具体的に、図２に示す第１室側境界シール部（３ａ）が波型の形状の場合、第１室の液体に圧を印加すると、波型の境界シール部の第２室に突出した領域に液体の圧が集中し、容易に境界シール部を剥離することができる。また、図３又は図４に示す第１室側境界シール部（３ａ）の全部がＶ字型（図３）又は一部がＶ字型（図４）の形状の場合も、第１室の液体に圧を印加すると、境界シール部の第２室に突出したＶ字型の領域に液体の圧が集中し、容易に境界シール部を剥離することができる。
【００２４】
本発明の包装体の方形の１つの実施態様である境界シール部が２つ以上の境界シール部に分かれているタイプについて、図２に従って説明する。基本的に、境界シール部が２つ以上の境界シール部に分かれている以外は、図１の実施態様と同様である。境界シール部は、図２に示すように第１室側境界シール部（３ａ）及び第２室側境界シール部（３ｂ）の２つの境界シール部に分かれていてもよく、３つ以上の境界シール部に分かれていてもよい。３つ以上の境界シール部を有する場合、第１室側境界シール部（３ａ）及び第２室側境界シール部（３ｂ）の間に、更に中間境界シール部を有する。これらの２つ以上の境界シール部は、直線状の境界シールでもよいが、図２の第１室側境界シール部（３ａ）のように、第２室側方向に液体の圧が集中する部分を有する境界シール部でもよい。第２室側方向に液体の圧が集中する部分を有する境界シール部であることにより、容易に境界シール部を開封することができる。一方、第１室側境界シール部（３ａ）が、第２室側方向に液体の圧が集中する部分を有する場合、輸送中などに過度な圧がかかると、第１室側境界シール部（３ａ）が剥離することが考えられる。しかしながら、第２室側境界シール部（３ｂ）を有することにより、第１室側境界シール部（３ａ）が剥離したとしても、第１室の液体が第２室に流入することを防止することが可能である。
【００２５】
前記周辺シール部は、包装体の内部を外界から分離するためのシール部である。周辺シール部によって、境界シール部を剥離した後に、粉体と液体とを包装体の内部で混合することができる。
【００２６】
境界シール部は、外部から印加される圧力によって剥離する。一方、周辺シール部は、外部から印加される圧力によって剥離しない。換言するならば、外部から印加される圧力は、境界シール部を剥離し、周辺シール部を剥離しない圧力である。
境界シール部の接着強度は、限定されるものではないが、例えば２〜１０Ｎ／１５ｍｍ幅であり、好ましくは３〜５Ｎ／１５ｍｍ幅である。前記境界シール部の幅も限定されるものではないが、例えば１〜１０ｍｍとすることができ、好ましくは３〜８ｍｍである。なお、境界シール部の幅は、２つ以上の境界シール部に分かれている場合は、第１室側境界シール部（３ａ）の端から第２室側境界シール部（３ｂ）の端までの全体の幅を意味する。また、第１室側境界シール部（３ａ）が波型又はＶ字型の場合において、境界シール部の幅は、第１室側境界シール部（３ａ）の端から第２室側境界シール部（３ｂ）の端までの最も広い幅を意味する。
一方、周辺シール部の接着強度は、限定されるものではないが、例えば１５〜３０Ｎ／１５ｍｍ幅であり、好ましくは２０〜３０Ｎ／１５ｍｍ幅である。周辺シール部の幅も限定されるものではないが、例えば５〜１５ｍｍとすることができ、好ましくは５〜１０ｍｍである。
【００２７】
包装体に用いる包装材料は、当分野において通常使用される材料を限定することなく用いることができる。包装材料としては、積層フィルム、又は単層フィルムを挙げることができるが、好ましくは積層フィルムである。例えば、積層フィルムは、限定されるものではないが、酸素バリア性及び水蒸気バリア性を有する積層フィルムが好ましい。また、積層フィルムの最内層のフィルムは、ヒートシール性を有するものが好ましい。また、積層フィルムは、遮光性フィルムを含んでもよい。
【００２８】
［２］包装体の製造方法
本発明の包装体の製造方法の第１の実施態様は、（１）周辺シール部の側方部及び境界シール部をシールする工程、（２）周辺シール部の下端部をシールする工程、（３）第１室が一定の厚みとなるように第１室を両側から２つの挟持体で挟みながら、第１室に液体を充填する第１室充填工程、（４）第２室に粉体を充填し、その後に気体を充填する第２室充填工程、及び（５）周辺シール部の上端部をシールする工程、を含む。
前記第１室充填工程（３）及び第２室充填工程（４）は同時に行ってもよく、一方の工程を先に行い、他方の工程を後に行ってもよい。
【００２９】
本発明の包装体の製造方法の第２の実施態様は、（１）周辺シール部の側方部及び境界シール部をシールする工程、（２）周辺シール部の下端部をシールする工程、
（３）第１室に液体を充填する工程、（４）第２室に粉体及び気体を充填する第２室充填工程、（５）周辺シール部の上端部をシールする工程、を含む液体を含む第１室並びに粉体及び気体を含む第２室を有する包装体の製造方法であって、第１室の容積及び第２室の容積の合計の容積に対する、前記気体の容積が１８〜５０容量％である。第２の実施態様において、好ましくは前記合計容積、及び境界シール部が剥離した状態の包装体の内面積が、式（１）：合計容積／境界シール部が剥離した状態の包装体の全内面積＝１．３〜４．０である。
前記第１室充填工程（３）及び第２室充填工程（４）は同時に行ってもよく、一方の工程を先に行い、他方の工程を後に行ってもよい。
【００３０】
本発明の包装体の製造方法の第１の実施態様及び第２の実施態様は１つの実施態様として実施してもよく、個別の実施態様として実施してもよい。
【００３１】
第１室充填工程（３）で用いる挟持体は、包装材料の第１室の領域を両側から挟み、充填される液体の容量を制御できる限りにおいて、特に限定されるものではない。例えば、板状の挟持体（例えば、脱気板）、又はローラー状の挟持体（例えば、脱気ローラー）を用いることができる。前記挟持体を用いることにより、第１室の厚みを制御することが可能である。そして、第１室の厚みを制御することにより、第１室に充填する液体の容量を容易に制御することができる。逆に、挟持体を用いずに第１室に液体を充填すると、液体の重量により第１室の下方に多量の液体が充填され、液体の容量にバラつきが生じたり、不要な気体を含んで容積が大きくなることがある。
なお、前記挟持体は、包装材料の第２室の領域においても、充填される気体と粉体が所定の容積を確保し、粉体および気体の充填を阻害しない範囲内で用いてもよいが、上端シールへの粉体の噛み込みを防ぐためには、第２室の上部の充填口は大きい方が好ましく、前記挟持体を用いないほうが好ましい。
【００３２】
前記液体の充填方法は、特に限定されるものではないが、第１室に液体を充填する配管を挿入して、配管の先端から液体を充填することができる。
【００３３】
前記第２室充填工程（４）で用いる粉体を充填する配管（パイプ）は、特に限定されるものではなく、本技術分野で通常用いられている配管を使用することができるが、好ましくは配管の構造が配管の下方に粉体を放出する構造である。下方に粉体を放出することにより、上端シールへの粉体の噛み込みを防ぐことができる。更に、前記第２室充填工程（４）で用いる気体を充填する配管も、特に限定されるものではなく、本技術分野で通常用いられている配管を使用することができるが、好ましくは配管の構造が配管の下方に気体を放出する構造ではなく、配管の側方に気体を放出する構造である。例えば、配管の側方に気体を放出する構造とは、配管の下方部分が閉じており、配管の側方部分に気体を放出する孔を有する構造を挙げることができる。側方の孔は特に限定されるものではないが、粉体の放出口に近接する位置に配する方が望ましい。好ましくは放出口より上方１〜５０ｍｍ以内、より好ましくは、１〜３０ｍｍ以内である。孔の数も特に限定されるものではないが、好ましくは１〜１０、より好ましくは３〜６である。側方に気体を放出することにより、下方に放出した粉体に直接気体が吹き付けられないため、粉体の舞い立ちを防ぐことができる。
【００３４】
前記第２室充填工程（４）において、粉体の充填と、気体の充填とのタイミングをずらすことが好ましい。すなわち、好ましくは粉体の充填の直後に気体を充填する。粉体の充填の直後に気体を充填することによって、気体が粉体に直接吹き付けられないため、粉体の舞い立ちを防ぐことができる。粉体の充填と、気体の充填の時間差は、特に限定されるものではないが、好ましくは０．０００１〜１秒であり、より好ましくは０．０１〜０．５秒である。
粉体を充填する配管と、気体を充填する配管は、分離した構造でもよく、１つの構造でもよい、例えば粉体を充填する配管と、気体を充填する配管とが１つの構造の場合、粉体を充填する比較的太い配管の側方に、１つ又は２つ以上の気体を充填する比較的細い配管を有する構造を挙げることができる。
【００３５】
工程（１）、工程（２）及び工程（３）におけるシールは、本分野において通常実施されているシール方法を用いることができる。
【００３６】
より具体的には、本願発明の包装体は、例えば以下の方法で製造することができる。図１又は２に示すように、積層フィルムを右側で折り返し、左側の周辺シール部の側方部（４ａ）を作製するために、一定温度及び圧力でシールする。それと同時又は別に境界シール部（３、３ａ、３ｂ）を作製するために、前記周辺シール部の側方部（４ａ）よりも、接着強度が弱くなるような温度及び圧力でシールする。これによって、上下が開放している三方シールタイプの袋を得ることができる。この筒状体の下端を一定温度及び圧力でシールすることによって、周辺シール部の下端部（４ｂ）を作成する。下端が封止された筒状体の第１室（１）に液体を、第２室（２）に粉体及び気体を充填する。その後、筒状体の上端を一定温度及び圧力でシールすることによって、周辺シール部の上端部（４ｃ）を作成する。第１室への液体の充填は、筒状体内に連続的に液を供給しながら液体中で上端をシールすることによって、第１室へ不要な気体を含むことなく充填することができる。また、上端シールの直前に筒状体を一定の厚みを保持できるように２つの挟持体により前後から挟み込み、過度な膨らみを抑制しながら充填することで、安定した第１室の容積を得ることができる。第２室への気体の充填においては、制御弁などを用いて一定の流量・圧力を保ちながら充填することによって、安定した気体の容積を得ることができる。また、第２室に充填する粉体の供給口と気体の供給口とを分け、気体が粉体に直接吹き付けられないように粉体と気体の充填のタイミングをずらすことで粉体の舞い立ちを防ぎ、上端シールへの粉体の噛み込みを防ぐことで袋の大きさを最小限にすることができる。なお、周辺シール部の下端部（４ｂ）及び周辺シール部の上端部（４ｃ）は、一回のシールで作製し、その間を切断することによって作成することができる。
【００３７】
本発明の包装体における、粉体と液体との混合方法は、例えば以下のように行うことができる。液体を含有する第１室（１）に圧を印加し、液体を粉体及び気体が含まれている第２室（２）との間の境界シール部（３、３ａ、３ｂ）に向かって押し出す。それによって、境界シール部が剥離する。そして、包装体の内部で、粉体と液体を混合することによって、混合物を得ることができる。混合物は、包装体を開封することによって、包装体から取り出すことができる。
【実施例】
【００３８】
以下、実施例によって本発明を具体的に説明するが、これらは本発明の範囲を限定するものではない。
【００３９】
《実施例１》
本実施例では、第１室に水を含有し、第２室に粉わさび及び空気を含有する包装体と作製した。図２に示すように、積層フィルムを右側で折り返し、温度（１４０℃）及び圧力（０．１３ＭＰａ）で左側の周辺シール部（４）を作製し、それと同時に、前記周辺シール部（４）よりも、接着強度が弱くなる温度（１２８℃）及び圧力（０．１３ＭＰａ）で境界シール部（３ａ、３ｂ）を作製した。この筒状体の下端を一定温度及び圧力でシールし、下端が封止された筒状体の第１室（１）に水（１７５０ｍｍ３）を、第２室（２）に粉わさび（２５００ｍｍ３）及び空気（３７００ｍｍ３）を充填した。その後、筒状体の上端を温度（１４５℃）及び圧力（０．１８ＭＰａ）でシールし、上端の周辺シール部（４）を作成した。さらに下端及び上端の周辺シール部（４）を切断することによって本発明の包装体を作製した。
第１室の内面積は９４６ｍｍ２であり、第２室の内面積は２６６６ｍｍ２であり、そして境界シール部を剥離した全内面積は３８７０ｍｍ２であった。表１に得られた包装体の容積及び内面積を示す。
【００４０】
《実施例２》
空気の量を３７００ｍｍ３に代えて、１１００ｍｍ３としたこと以外は、実施例１の操作を繰り返して、包装体を得た。表１に得られた包装体の容積及び内面積を示す。
【００４１】
《実施例３》
空気の量を３７００ｍｍ３に代えて、３５００ｍｍ３としたこと、第２室の内面積を２６６６ｍｍ２に代えて１７２０ｍｍ２としたこと、及び全内面積を３８７０ｍｍ２に代えて、２９２４ｍｍ２としたこと以外は、実施例１の操作を繰り返して、包装体を得た。表１に得られた包装体の容積及び内面積を示す。
【００４２】
《実施例４》
空気の量を３５００ｍｍ３に代えて、１１００ｍｍ３としたこと以外は、実施例３の操作を繰り返して、包装体を得た。表１に得られた包装体の容積及び内面積を示す。
【００４３】
《比較例１》
空気の量を３７００ｍｍ３に代えて、９００ｍｍ３としたこと以外は、実施例１の操作を繰り返して、包装体を得た。表１に得られた包装体の容積及び内面積を示す。
【００４４】
《比較例２》
空気の量を３７００ｍｍ３に代えて、４５００ｍｍ３としたこと以外は、実施例１の操作を繰り返して、包装体を得た。表１に得られた包装体の容積及び内面積を示す。
【００４５】
《比較例３》
第１室の水１７５０ｍｍ３に代えて、水１７５０ｍｍ３及び空気１０００ｍｍ３としたこと以外は、実施例３の操作を繰り返して、包装体を得た。
【００４６】
《混合試験》
実施例１〜４及び比較例１〜３で得られた包装体の境界シール部を剥離し、粉わさびと水の混合試験を行った。結果を表１に示す。
【００４７】
【表１】
2018103996.tif 000003
【００４８】
《落下試験》
実施例１〜４及び比較例１〜３で得られた包装体を１０袋ずつ小箱に入れ、前記小箱を３０箱ずつ段ボールに詰めた。段ボールを地上８０ｃｍの高さから、水平に２回落下させ、包装体の状態を確認した。比較例３で得られた包装体は、境界シール部が剥離し、喫食前に粉体と液体とが混ざってしまうものがあった。
【産業上の利用可能性】
【００４９】
本発明の包装体によれば、包装体の内部で粉わさびと水を混合して、練りわさびを作製することができる。
【符号の説明】
【００５０】
１・・・第１室；
２・・・第２室；
３・・・境界シール部；
３ａ・・・第１室側境界シール部；
３ｂ・・・第２室側境界シール部；
４・・・周辺シール部；
４ａ・・・周辺シール部の側方部
４ｂ・・・周辺シール部の下端部
４ｃ・・・周辺シール部の上端部
５・・・液体；
６・・・気体；
７・・・粉体；
【図１】
2018103996.tif 000004
【図２】
2018103996.tif 000005
【図３】
2018103996.tif 000006
【図４】
2018103996.tif 000007